(57)【要約】      （修正有）【課題】  ５倍速録画されたテープを、マイクロコンピュータへの負担を増すことなく、ノイズバーを発生させることなく、正しくスロー再生することを可能にする。【解決手段】  スロー再生時キャプスタン加速減速手段３０３は、予め設定した加速継続時間キャプスタンの加速を行い、その後キャプスタンモータ回転周波数パルスのエッジを検出し、さらにその後キャプスタンモータ４００をサーボ制御駆動し一定時間後キャプスタンは減速する。この動作を繰り返すことでノイズバーを発生しないスロー再生を実現できる。【選択図】  図４
2005235245.tif 000002
【特許請求の範囲】
【請求項１】
キャプスタンモーター加速および減速手段、キャプスタンモーターサーボ制御手段、キャプスタンモーター速度周波数信号発生手段、キャプスタン加速および減速手段を制御する手段、および、キャプスタン加速手段による加速の予め設定した継続時間を蓄積する手段を有してなるビデオ磁気テープ記録再生装置のスロー再生ためキャプスタンモーター制御装置であって、スロー再生のために、当該キャプスタン加速および減速手段は、当該加速の予め設定した継続時間を蓄積する手段に蓄積された予め設定された時間の間、キャプスタン加速をおこない、その後、当該キャプスタンモーター速度周波数信号発生手段がキャプスタンモーターパルスのエッジを検出し、その後、サーボ制御手段によりキャプスタンモーターをサーボ制御させて駆動させ、一定時間の後、当該キャプスタン加速および減速手段はキャプスタン減速をおこなうことを繰り返すようにした上記キャプスタンモーター制御装置。
【請求項２】
テープ記録再生装置のスロー再生のためのキャプスタンモーター制御方法であって、
キャプスタンモーターの加速を継続するべき継続時間を予め設定し、
キャプスタンモーターの加速を当該予め定められた時間の間実行し、
キャプスタンモーター回転数周波数パルスのエッジを検出し、
キャプスタンモーターをサーボ制御駆動し、
キャプスタンモーターを減速することを繰り返すテープ記録再生装置のスロー再生のためのキャプスタンモーター制御方法。
【請求項３】
請求項１のキャプスタンモーター制御装置において、請求項２の制御方法を備えた電子機器および記録再生装置。
【発明の詳細な説明】
【技術分野】
【０００１】
この発明は、ビデオ磁気テープ記録再生装置のスロー再生のためのキャプスタンモーター制御装置および方法に関する。
【背景技術】
【０００２】
ビデオ磁気テープ記録再生装置でスロー再生を行うためには、テープを間歇走行駆動させる。この間歇走行駆動のために、キャプスタンモーターをいったん減速し次に再生サーボ制御走行まで加速し、次に減速するように制御して間歇駆動している。
【０００３】
このようなスロー再生を行う再生サーボ制御走行にキャプスタンモーターを正確に引き込むために、通常、そのキャプスタンモーターの回転周波数を監視して、サーボ制御を開始するタイミングを決定していた。キャプスタンモーターの回転に対する制御は、マイクロコンピューターによって、キャプスタンモーターの回転周波数を基準にして実行される。誤差を補償するためにさまざまな処理がいずれもキャプスタンモーターの回転周波数を参照して行われるために、マイクロコンピューターへの負荷が大きくなりすぎるという欠点があった。
【０００４】
特許文献１には、その欠点を軽減する試みが提案されている。キャプスタンモーター回転周波数を基準とする信号を特別に処理してマイクロコンピューターにサーボ制御の開始時期を知らせる方法が開示されている。
【０００５】
特許文献２には、ノイズフリーの安定して再生画面を得るためにドラムモーターと並んでキャプスタンモーターのエラー検出時の補償量を可変として精密にエラー補償を行う装置が開示されている。
【０００６】
【特許文献１】特開平９−１７２９２号公報
【特許文献２】特開平７−１４７０４０号公報
【発明の開示】
【発明が解決しようとする課題】
【０００７】
しかし、これらの従来技術により、スロー再生を5倍速録画テープから行う場合、マイクロコンピューターの負担が多くなるばかりか、ノイズバーが再生に発生してしまうという欠点があった。
【０００８】
図1はそのようなスロー再生を行うためのキャプスタンモーター２００の従来の制御装置を示す。制御装置はマイクロコンピュータ１００によって実現される。マイクロコンピュータ１００において、当該制御装置は、キャプスタンモーター２００のモーター速度信号を表すキャプスタン回転周波数信号発生器１０１、キャプスタンモーター加速および減速手段１０３、およびサーボ制御手段１０５からなる。
【０００９】
従来のスロー再生キャプスタンモーター制御装置の作動は、図２に示す。まず、外部からスロー再生のコマンドを受けて、キャプスタンオン信号２００ＯＮのＡで示すように、キャプスタンモーターを強制加速する。キャプスタンモーター回転数を表すキャプスタン回転周波数発生器１０１の信号２０１が目標周波数を超えたときに、信号２０１のエッジを検出（２０６）して、直ちに、サーボ制御手段１０５はキャプスタンモーターにサーボ制御をかける。このサーボ制御は、その後、テープからのコントロール信号２０３の制御ピークによって決定される時間２０５中継続され、画像が再生される。その時間が経過し、終了すると、そのとき、キャプスタンモーター加速および減速手段１０３はキャプスタンモーターの減速を開始し、所定減速速度が達成されるまで、減速される。このとき、再生画像は停止する。このような間歇駆動を行うことによりスロー再生が行われる。
【００１０】
ところが、上記のキャプスタンモーターの制御装置と方法によっては、5倍速で録画された磁気テープをスロー再生する場合、ノイズバーを発生して、満足の行くスロー再生画像が得られないとという欠点があった。これは、間歇走行を得るために行われおこなわれる強制的な加速後のサーボ制御で安定した再生速度が得られないことに原因がある。
【００１１】
詳しく述べると、ＳＰや3倍速のスロー再生時のキャプスタンモーター回転速度を表す目標キャプスタン周波数は、たとえば、それぞれ、９１７．１８Ｈｚや３５９．６５Ｈｚであるのに対して、5倍速のそれは、２１５．７８Ｈｚである。図３に示すように、5倍速のテープをスロー再生しようと上記のように、キャプスタンモーターを加速すると、速度周波数はサーボ制御したい２１５．７８Ｈｚを越える。そのためにキャプスタン回転周波数信号２０１のエッジ検出を行って、サーボ制御を始めようとしても、サーボ制御により安定な走行速度を得ることができない。キャプスタンモーターの速度が目標周波数に達しないまま、キャプスタン加速減速手段は減速を実行するというサイクルを間歇的に繰り返す。キャプスタンモーター回転速度は、正しく5倍速のテープ再生速度が得られないままであるので、画面にはノイズバーが発生する。
【００１２】
この発明の課題は、これらの問題を解決するために、マイクロコンピュータへの負担を増すことなく、しかも、5倍速録画されたテープをノイズバーを発生させることなくスロー再生できるビデオ磁気テープ記録再生装置のスロー再生のためのキャプスタンモーター制御装置および方法を提供することである。
【課題を解決するための手段】
【００１３】
この課題は、キャプスタンモーター加速および減速手段、キャプスタンモーターサーボ制御手段、キャプスタンモーター速度周波数信号発生手段、キャプスタン加速および減速手段を制御する手段、および、キャプスタン加速手段による加速を継続するべき予め設定した継続時間を蓄積する手段を有してなり、スロー再生のために、当該キャプスタン加速および減速手段は、当該加速の予め設定した継続時間を蓄積する手段に蓄積された予め設定された時間の間、キャプスタン加速をおこない、その後、当該キャプスタンモーター速度周波数信号発生手段がキャプスタンモーター回転周波数パルスのエッジを検出し、さらに、その後、サーボ制御手段によりキャプスタンモーターをサーボ制御させて駆動させ、一定時間の後、当該キャプスタン加速および減速手段はキャプスタン減速をおこなうことを繰り返すようにしたこの発明によるキャプスタンモーター制御装置によって達成される。
【００１４】
また、この発明の課題は、キャプスタンの加速を継続するべき継続時間を予め設定し、キャプスタンの加速を当該予め定められた時間の間実行し、キャプスタンモーター回転数周波数パルスのエッジを検出し、キャプスタンモーターをサーボ制御駆動し、キャプスタンモーターを減速することを繰り返すテープ記録再生装置のスロー再生のためのキャプスタンモーター制御方法によって達成される。
【発明を実施するための最良の形態】
【００１５】
図４を参照すると、ビデオ磁気テープ記録再生装置で5倍速録画のスロー再生をするためのキャプスタンモーター４００の制御装置の実施例が示されている。マイクロコンピュータ３００には、キャプスタンモーター４００のモーター速度信号を表すキャプスタン回転周波数信号発生器３０１、キャプスタンモーター加速および減速手段３０３、サーボ制御手段３０５、およびキャプスタン加速継続時間を蓄積するＲＯＭ（読み出し専用メモリー）３０７が具備されている。
【００１６】
この実施例によるキャプスタンモーター制御装置の作動は図５を参照して説明する。外部からスロー再生のコマンドを受けると、キャプスタンオン２００ＯＮのＡの時点で、キャプスタンモーター加速および減速手段３０３がキャプスタンモーターの加速を開始する。この加速が行われる継続時間は、予め設定されており、マイクロコンピュータが参照するＲＯＭ３０７に蓄積されている。キャプスタンモーター加速および減速手段３０３は、その蓄積された継続時間４０７のみ、当該加速を継続する。当該継続時間４０７が経過すると、加速作動はキャプスタンオン２００ＯＮのＢの時点で停止される。当該キャプスタンモーター速度周波数信号発生手段３０１がキャプスタンモーター回転周波数パルスのエッジを期間４０８の間に検出する。検出すると、時点Ｃで、サーボ手段３０５は、サーボ制御を開始する。
【００１７】
ＲＯＭ３０７に蓄積されている加速継続時間は、次のようにあらかじめ初期設定される。この継続時間は、キャプスタンモーターに対して、実験的に強制加速を、その継続時間を測定しながら、かけることによって、そのキャプスタン回転周波数信号発生器３０１の信号４０１が5倍速の再生速度である２１５．７８Ｈｚに達するに十分な長さだけの継続時間を検出する。この継続時間は、使用するキャプスタンモーターの特性に依存する。この十分な長さ分の継続部分は数ミリ秒の範囲である。これを実験によって検出して、ＲＯＭ３０７に蓄積しておく。したがって、加速処理のち、キャプスタンモーター回転周波数のエッジ検出がすむと、速度は5倍速テープの録画再生に適した再生速度になっているので、正確にサーボ制御が行われる。
【００１８】
当該サーボ制御は、テープからのコントロール信号２０３の制御ピークによって決定される時間４０９中に継続され、画像が再生される。その時間４０９が経過し、終了すると、そのとき、キャプスタンモーター加速および減速手段３０３はキャプスタンモーターの減速を開始し、所定減速速度が達成されるまで、減速される。このとき、再生画像は停止する。このような作動を繰り返すことによって、間歇駆動がおこなわれ、スロー再生が行われる。
【００１９】
また、この発明による、テープ記録再生装置のスロー再生のためのキャプスタンモーター制御方法の実施例を説明する。
【００２０】
この方法によると、まず、キャプスタンの加速を継続するべき継続時間を予め設定する。上述した様に5倍速の録画記録のテープの再生のキャプスタンモーター回転周波数までに、加速するのに必要な加速継続時間は、実験的に求めることができる。５倍速の録画記録のテープを正しく再生するキャプスタン回転周波数、２１５．７８Ｈｚである。この回転数までに到達させるために必要な加速継続時間を、実験的に求める。例えば、ＸＸミリ秒とする。この値を、ＲＯＭに蓄積しておき、マイコン３００が、その値を達成したら、キャプスタンモーター回転数周波数パルスのエッジを検出し、キャプスタンモーターをサーボ制御駆動し、キャプスタンモーターを減速するするステップを順次行う一サイクルをマイクロコンピューターのプログラムとして実行する。この一サイクルを繰り返してスロー再生を行うと、5倍速録画のテープを再生のためのキャプスタンモーターの正しい速度がサーボ制御のもと安定してえられる。したがって、5倍速録画テープのノイズバーがないスロー再生が行われる。
【００２１】
従来は、キャプスタンモーター回転数周波数をモニターして目標値に達しことを検出して、その検出時に次の周波数パルスのエッジ検出を開始して、キャプスタンモーターにサーボ制御を開始していた。正しい、再生速度が検出されれば、サーボ制御により正しい再生速度が達成される。しかし、5倍速録画テープのために正しい再生速度が達成できないまま、パルスのエッジ検索によってサーボ制御をしようとしても、キャプスタンモーターは安定した速度を得られず、ノイズバーが再生画像に現れた。しかし、この発明は、そのつどキャプスタンモーター回転周波数の検出に依存して、加速継続の停止を行わず、経験的に予め定めた加速継続時間だけ加速させて、目標値の達成を行うので、ノイズバーのないスロー再生が行える。
【００２２】
なお上記実施例の説明では、加速継続時間を外部のＲＯＭに蓄積するとして説明したが、必ずしも外部のＲＯＭである必要はなく、マイコン内のＲＯＭに加速継続時間を記憶させることもできる。
【図面の簡単な説明】
【００２３】
【図１】従来のビデオ磁気テープ記録再生装置のスロー再生ためキャプスタンモーター制御装置のブロック図である。
【図２】従来の装置の作動を示す信号図である。
【図３】従来の装置の誤作動を示す信号図である。
【図４】発明によるキャプスタンモーター制御装置のブロック図である。
【図５】図４の装置の作動を示す信号図である。
【符号の説明】
【００２４】
２００、４００  キャプスタンモーター
１０１、３０１  キャプスタン回転周波数信号発生器
１０３、３０３  キャプスタンモーター加速および減速手段
１０５、３０５  サーボ制御手段
【図１】
2005235245.tif 000003
【図２】
2005235245.tif 000004
【図３】
2005235245.tif 000005
【図４】
2005235245.tif 000006
【図５】
2005235245.tif 000007